【手続補正書】
【提出日】平成21年1月5日(2009.1.5)
【手続補正１】
【補正対象書類名】特許請求の範囲
【補正対象項目名】全文
【補正方法】変更
【補正の内容】
【特許請求の範囲】
【請求項１】
下記の（１）〜（５）の工程を順次実行することを特徴とする毛髪数の計測方法。
（１）計測対象者の頭部に対して計測部位とする部位を含む部位を選定する工程
（２）選定部位に生えている毛髪を０．５ｍｍ〜３ｍｍの長さに必要に応じてカットする工程
（３）選定部位をデジタルカメラで撮影することで、その画像データを取得する工程
（４）画像データをコンピュータに取り込んで画面上に表示し、画面上に表示した画像の中から所定面積の計測部位を決定し、画面上で計測部位に生えている毛髪１本一本に対してタグマークを付与する工程
（５）画面上に付与したタグマークを自動集計することで毛髪数の計測を行う工程
【請求項２】
基準太さの寸法の画像を計測部位の画像と同じ倍率で画面上に表示し、計測部位に生えている毛髪の太さを基準太さと比較し、基準太さよりも細い場合と同じ太さ以上の場合とで付与するタグマークの種類を変え、異なるタグマークを別々に自動集計することで、毛髪の種類を太さによって２種類に分類し、それぞれの毛髪数の計測を別々に行うことを特徴とする請求項１記載の計測方法。
【請求項３】
基準太さを４０μｍに設定し、基準太さよりも細い毛髪を軟毛、基準太さと同じ太さ以上の毛髪を非軟毛に分類し、それぞれに対して付与したタグマークを別々に自動集計することで、軟毛の毛髪数の計測と非軟毛の毛髪数の計測を別々に行うことを特徴とする請求項２記載の計測方法。
【請求項４】
計測部位の面積を０．８ｃｍ２〜１．２ｃｍ２とすることを特徴とする請求項１乃至３のいずれかに記載の計測方法。
【請求項５】
発毛剤の効果の評価方法であって、発毛剤の投与対象者に対して発毛剤の投与スケジュールのいずれかの１点において下記の（１）〜（５）の工程を順次実行することで毛髪数の計測を行った後、先に毛髪数の計測を行った計測部位の毛髪数の計測を再び行い、両者の計測結果によって明らかになった毛髪数の変化の程度に基づいて効果判断を行うことを特徴とする評価方法。
（１）発毛剤の投与対象者の頭部に対して計測部位とする部位を含む部位を選定する工程
（２）選定部位に生えている毛髪を０．５ｍｍ〜３ｍｍの長さに必要に応じてカットする工程
（３）選定部位をデジタルカメラで撮影することで、その画像データを取得する工程
（４）画像データをコンピュータに取り込んで画面上に表示し、画面上に表示した画像の中から所定面積の計測部位を決定し、画面上で計測部位に生えている毛髪１本一本に対してタグマークを付与する工程
（５）画面上に付与したタグマークを自動集計することで毛髪数の計測を行う工程
【手続補正２】
【補正対象書類名】明細書
【補正対象項目名】０００５
【補正方法】変更
【補正の内容】
【０００５】
上記の点に鑑みてなされた本発明の毛髪数の計測方法は、請求項１記載の通り、下記の（１）〜（５）の工程を順次実行することを特徴とする。
（１）計測対象者の頭部に対して計測部位とする部位を含む部位を選定する工程
（２）選定部位に生えている毛髪を０．５ｍｍ〜３ｍｍの長さに必要に応じてカットする工程
（３）選定部位をデジタルカメラで撮影することで、その画像データを取得する工程
（４）画像データをコンピュータに取り込んで画面上に表示し、画面上に表示した画像の中から所定面積の計測部位を決定し、画面上で計測部位に生えている毛髪１本一本に対してタグマークを付与する工程
（５）画面上に付与したタグマークを自動集計することで毛髪数の計測を行う工程
また、請求項２記載の計測方法は、請求項１記載の計測方法において、基準太さの寸法の画像を計測部位の画像と同じ倍率で画面上に表示し、計測部位に生えている毛髪の太さを基準太さと比較し、基準太さよりも細い場合と同じ太さ以上の場合とで付与するタグマークの種類を変え、異なるタグマークを別々に自動集計することで、毛髪の種類を太さによって２種類に分類し、それぞれの毛髪数の計測を別々に行うことを特徴とする。
また、請求項３記載の計測方法は、請求項２記載の計測方法において、基準太さを４０μｍに設定し、基準太さよりも細い毛髪を軟毛、基準太さと同じ太さ以上の毛髪を非軟毛に分類し、それぞれに対して付与したタグマークを別々に自動集計することで、軟毛の毛髪数の計測と非軟毛の毛髪数の計測を別々に行うことを特徴とする。
また、請求項４記載の計測方法は、請求項１乃至３のいずれかに記載の計測方法において、計測部位の面積を０．８ｃｍ２〜１．２ｃｍ２とすることを特徴とする。
また、本発明の発毛剤の効果の評価方法は、請求項５記載の通り、発毛剤の投与対象者に対して発毛剤の投与スケジュールのいずれかの１点において下記の（１）〜（５）の工程を順次実行することで毛髪数の計測を行った後、先に毛髪数の計測を行った計測部位の毛髪数の計測を再び行い、両者の計測結果によって明らかになった毛髪数の変化の程度に基づいて効果判断を行うことを特徴とする。
（１）発毛剤の投与対象者の頭部に対して計測部位とする部位を含む部位を選定する工程
（２）選定部位に生えている毛髪を０．５ｍｍ〜３ｍｍの長さに必要に応じてカットする工程
（３）選定部位をデジタルカメラで撮影することで、その画像データを取得する工程
（４）画像データをコンピュータに取り込んで画面上に表示し、画面上に表示した画像の中から所定面積の計測部位を決定し、画面上で計測部位に生えている毛髪１本一本に対してタグマークを付与する工程
（５）画面上に付与したタグマークを自動集計することで毛髪数の計測を行う工程
【手続補正３】
【補正対象書類名】明細書
【補正対象項目名】００１３
【補正方法】変更
【補正の内容】
【００１３】
本発明の毛髪数の計測方法は、例えば、脱毛症の患者に対する既存発毛剤の効果を評価する場合や、新規な開発発毛剤の効果を評価する場合などに有用である。発毛剤の効果の評価は、まず、発毛剤の投与対象者に対して発毛剤の投与スケジュールのいずれかの１点（例えば発毛剤の投与開始時）において上記の（１）〜（５）の工程を順次実行することで毛髪数の計測を行い、その後、先に毛髪数の計測を行った計測部位の毛髪数の計測を再び行い、両者の計測結果によって明らかになった毛髪数の変化の程度に基づいて効果判断を行う。
【手続補正４】
【補正対象書類名】明細書
【補正対象項目名】００１４
【補正方法】変更
【補正の内容】
【００１４】
後に行う先に毛髪数の計測を行った計測部位の毛髪数の計測は、発毛剤の投与対象者の頭部から計測部位を見つけ出して行う必要があるが、これは、例えば、次のようにして行うことができる。
（ａ）先の毛髪数の計測を行った際に計測部位の記録を行っておく。例えば、右耳から計測部位を経て左耳までを紐などで結び、右耳から計測部位までの距離を記録し、さらに、眉毛と眉毛の間の中心から計測部位までを紐などで結び、その距離を記録しておく。また、このような記録に加えて、計測部位が見えるように頭部全体の写真を撮影しておいてもよい。
（ｂ）後の毛髪数の計測を行う際、上記の記録や頭部全体の写真をもとに計測部位の大方の位置を特定する。
（２’）計測部位を含む部位に生えている毛髪を０．５ｍｍ〜３ｍｍの長さに必要に応じてカットする。
（３’）上記の部位をデジタルカメラで撮影することで、その画像データを取得する。
（４’）画像データをコンピュータに取り込んで画面上に表示し、画面上に表示した画像と先の毛髪数の計測を行った際の画像とを比較し、個々の毛髪の生え方や毛根の位置などを見比べてｈａｉｒ  ｔｏ  ｈａｉｒで一致させて画像の中から計測部位を特定する。その後、画面上で計測部位に生えている毛髪１本一本に対してタグマークを付与する。
（５’）画面上に付与したタグマークを自動集計することで毛髪数の計測を行う。
なお、上記の（２’）〜（５’）の操作は、計測部位の特定を除き、基本的に先に説明した工程（２）〜工程（５）と同様にして行えばよい。